(57)【要約】      （修正有）【課題】垂直フレーム上で水平方向の棚段の高さを自由に調整可能とし、各種盆栽の高さに合わせて使用でき、該製品の実用性と経済価値を向上した、組み立て式園芸棚の提供。【解決手段】数本のフレームと、数個の結合部品及びカバー体１つから構成される組み立て式園芸棚１であって、該結合部品がそれぞれ一つ以上の垂直方向連結孔２１及び水平方向連結孔２２を備え、該垂直方向連結孔は同一直径で上下に貫通しており、且つその下端を下方向に延伸して挟持部２３を設け、該挟持部上にロック機構２４を設置し、該ロック機構の作用により、該結合部品の挟持部が垂直フレーム上を挟持して固定されることを特徴とする。【選択図】図２
0003108033.tif 000002
【実用新案登録請求の範囲】
【請求項１】
数本のフレームと、数個の結合部品及びカバー体１つから構成される組み立て式園芸棚であって、該結合部品がそれぞれ一つ以上の垂直方向連結孔及び水平方向連結孔を備え、該垂直方向連結孔は同一直径で上下に貫通しており、且つその下端を下方向に延伸して挟持部を設け、該挟持部上にロック機構を設置し、該ロック機構の作用により、該結合部品の挟持部が垂直フレーム上を挟持して固定されることを特徴とする、組み立て式園芸棚。
【請求項２】
前記のうち、該フレームが垂直フレーム、水平フレーム、上フレームと棚板を含んで成り、該垂直フレームの長さが園芸棚全体の高さとほぼ同等であり、その外径が該結合部品の垂直方向連結孔の孔径に対応した、請求項１に記載の組み立て式園芸棚。
【請求項３】
前記のうち、該結合部品が横棒状を呈し、その両端にそれぞれ垂直方向連結孔と水平方向連結孔を備え、且つ、各垂直連結孔の下端を下方向に延伸して挟持部を設け、該挟持部上にロック機構を設置した、請求項２に記載の組み立て式園芸棚。
【請求項４】
前記のうち、該結合部品の各上下に相通した垂直方向連結孔の側壁面上２つの相互に垂直を呈する水平方向連結孔を設け、且つ、該垂直方向連結孔の下端を下方向に延伸して挟持部を設け、該挟持部上にロック機構を設置した、請求項２に記載の組み立て式園芸棚。
【請求項５】
前記結合部品の挟持部の下方端部に数本の細溝を設け、且つ、該等細溝上方に雄ネジ刻みを形成し、該ロック機構は円管状を呈し、且つ、該ロック機構内部に上述の雄ネジ刻みと相互に螺合される雌ネジ刻みを設け、さらに該ロック機構の下端の開口部内側面に内側へ向かって突出した突起縁部を設けた、請求項３または４に記載の組み立て式園芸棚。
【考案の詳細な説明】
【技術分野】
【０００１】
本考案は、組み立て式園芸棚の改良構造に関し、特に、水平棚板の高さを自由に調整できる組み立て式の園芸棚であって、上述の構造により、使用時に使用者が盆栽の成長高さに合わせ棚板の高さを調節することができ、該製品の実用性と経済価値を向上した、組み立て式園芸棚に関する。
【背景技術】
【０００２】
従来の組み立て式園芸棚の構造は、図６に示すように、数本のフレームａと、数個の結合部品ｂ及びカバー体ｃ等を組み立てて成る。該従来の組み立て式園芸棚の構造において、フレームａは、垂直フレームa1、水平フレームa2、上フレームa3と棚板a4等を含んでおり、且つ、該各垂直フレームa1は多節構造であり、該結合部品ｂは垂直方向及び水平方向連結孔b1とb2を備え、且つ、そのうち各連結孔は相互に通じておらず、該カバー体ｃはプラスチック布または網等を含み、組み立てが完了したフレーム体の上を覆って設置される。
【０００３】
上述の構造を組み立てるときは、各水平方向の棚板a4相互間の層間距離が垂直フレームa1各節の長さに制限され、組み立て完了後は棚板各段の高さを再調整することができない。しかし、一般に盆栽は品種の違いにより成長高さがそれぞれ異なるが、従来の園芸棚の構造は規格化された一定の高さで水平方向の棚段が設計されているため、さまざまな品種の盆栽における使用上のニーズに対応できず、該従来の組み立て式園芸棚の構造は改良が求められている。
【考案の開示】
【考案が解決しようとする課題】
【０００４】
本考案は、従来の組み立て式園芸棚の構造が水平方向の棚段の高さが固定されている設計で、各種品種の成長における必要に対応できないという欠点に対し、考案者の該事業での設計と製造における長年の経験に基づき研究を重ね、斬新な組み立て式園芸棚を考案するものである。
【０００５】
本考案の主な目的は、垂直フレーム上で水平方向の棚段の高さを自由に調整可能とし、各種盆栽の高さに合わせて使用でき、該製品の実用性と経済価値を向上した、組み立て式園芸棚を提供することにある。
【０００６】
本考案の別の目的は、結合部品と２つの垂直方向連結孔を備えた角の接続部分を同一の材料で一体成形して形成するか、または４つの角の垂直方向連結孔をそれぞれ独立して成型した、組み立て式園芸棚を提供することにある。
【０００７】
本考案のさらに別の目的は、結合部品の垂直方向連結孔下端を下方向へ延伸して挟持部を設け、該挟持部上にロック機構を設置し、該ロック機構を閉めたり緩めたりすることで迅速に結合部品の固定ができる、組み立て式園芸棚を提供することにある。
【課題を解決するための手段】
【０００８】
上述の目的を達するため、本考案の構造は、結合部品に垂直方向及び水平方向の孔径が同じ連結孔を設け、該垂直方向連結孔は上下に貫通しており、且つ、その下端を下方向へ延伸して挟持部を設け、該挟持部上にロック機構を設けることを特徴とする。  
【考案の効果】
【０００９】
上述の構造を組み立てて使用する時、数個の結合部品と相互に対応する水平及び垂直フレームを挿入接続して連結し、さらに結合部品上に設けた挟持部とロック機構の作用により、該結合部品を垂直フレームの任意の高さに固定でき、該園芸棚の各棚段間の高さを自由に調整することを可能にし、該製品の実用性及び経済価値を向上する。          
【考案を実施するための最良の形態】
【００１０】
以下、本考案の組み立て式園芸棚の改良構造における技術的特徴と効果について、最良の実施例と図面に基づき詳細に説明する。
【実施例１】
【００１１】
まず、図１から図３に示すように、本考案の組み立て式園芸棚の改良構造は、主に数本の骨組み１０と、数個の結合部品20及びカバー体30等を組み立てて成り、その特徴は、該結合部品20はそれぞれ１つ以上の垂直方向及び水平方向連結孔21、22をそなえ、該垂直方向連結孔21は同一直径で上下に貫通しており、且つ、その下端を下方向へ延伸して挟持部23を設け、該挟持部23上にロック機構24を設置する。
【００１２】
図２と図３に示すように、該組み立て式園芸棚１の骨組み10の構造は、垂直フレーム11、水平フレーム12、上フレーム13と棚板14から成り、そのうち、該垂直フレーム11の長さは園芸棚全体の高さとほぼ同じであり、その外径は該結合部品20の垂直方向連結孔21の孔径に対応しているものとする。該結合部品20（図２及び図４に示す）は、本実施例においては横棒状であり、その両端にそれぞれ垂直方向連結孔21と水平方向連結孔22を備え、各垂直方向連結孔21の下端を下方向に延伸して挟持部23を設け、また該挟持部23上にロック機構24を設置する。
【００１３】
さらに、該結合部品2０の挟持部２３の下方端部に数本の細溝231を設け、且つ、該等細溝231上方に雄ネジ刻み232を設ける。該ロック機構24は円管状であり、且つ、その内部に上述の雄ネジ刻み232と相互に螺合される雌ネジ刻み241を形成し、該ロック機構24下端の開口部内側面に内側へ向かって突出した突起縁部242を設ける。固定時には、該挟持部23が突起縁部242に圧迫されてその内径が縮小され、その内径の変化で該挟持部23が閉まったり緩んだりして固定機能が得られる。
【００１４】
上述の構造に基づき組み立てる時、まず２つの水平方向連結孔22を相対させて結合部品20を設置し、該結合部品上の垂直方向連結孔21に四本の垂直フレーム11をそれぞれ嵌置し、さらに２つずつ相対する水平方向連結孔22に水平フレーム12をそれぞれ嵌置し、水平度を再調整した後、各挟持部23上のロック機構24により固定する。同様に２組以上の棚段を形成して矩形の骨組み構造が形成され、さらにフレーム13、棚板14とカバー体30を組み込み、園芸棚全体の組み立てが完了する。使用時には、使用者がそのうち１つの棚段の前記４つのロック機構24を緩めたり閉めたりすることで、該棚段を4本の垂直フレーム11上で上下に移動させ高さを自由に調整する。こうして、該製品は各棚段上に置いた盆栽の成長高さに合わせて棚段の高さを自由に調整でき、該製品の実用性と経済価値がより向上される。
【実施例２】
【００１５】
また、図４及び図５に示すように、本考案の結合部品20は各上下に相通した垂直方向連結孔21（Ｘ軸方向）の側壁面上に２つの相互に垂直を呈する水平方向連結孔22（Ｙ軸とＺ軸方向）を設け、且つ、垂直方向連結孔21下端を下方向に延伸して挟持部23を設け、該挟持部23上にロック機構24を設置してもよい。組み立て時は、各結合部品20の垂直方向連結孔21に4本の垂直フレーム11を嵌入した後、さらに相互に対応する水平方向連結孔22にＹ軸方向及びＺ軸方向の水平フレーム12を挿入し、水平度を調整した後各ロック機構24で固定し、各棚段の組み立てが完了する。さらに、前述の実施例の方法で本考案の園芸棚全体の組み立てを行い、前述同様の効果を得ることができる。
【００１６】
上述のように、本考案の組み立て式園芸棚の改良構造はこれまでにないものであり、確実に水平棚段の高さを自由に調整するという目的を達することができ、該製品の実用性と経済価値を向上するものである。このように、本考案の構造は実用新案出願の要件を備えているため、特許法に基づきここに実用新案登録の出願をするものである。
【図面の簡単な説明】
【００１７】
【図１】本考案の実施例１の立体斜視図である。
【図２】本考案の実施例１の立体分解斜視図である。
【図３】本考案の実施例１の結合部品の立体分解斜視図である。
【図４】本考案の実施例２の立体斜視図である。
【図５】本考案の実施例２の結合部品の立体分解斜視図である。
【図６】従来の組み立て式園芸棚の立体斜視図である。
【符号の説明】
【００１８】
１          組み立て式園芸棚
１０        骨組み１０
１１        垂直フレーム
１２        水平フレーム
１３        上フレーム
１４        棚板
２０        結合部品
２１        垂直方向連結孔
２２        水平方向連結孔
２３        挟持部
２３１      細溝
２３２      雄ネジ刻み
２４        ロック機構
２４１      雌ネジ刻み  
２４２      突起縁部      
３０        カバー体
ａ        フレーム
ｂ        結合部品
ｃ        カバー体    
a1      垂直フレーム      
a2      水平フレーム
a3      上フレーム
a4      棚板  
b1      垂直方向連結孔
b2      水平方向連結孔    
【図１】
0003108033.tif 000003
【図２】
0003108033.tif 000004
【図３】
0003108033.tif 000005
【図４】
0003108033.tif 000006
【図５】
0003108033.tif 000007
【図６】
0003108033.tif 000008